Podtech/llm-jp-corpus-v4-ja_patent huggingface dataset:
(57)【要約】      （修正有）【課題】便座下部と便器上部の縁との間に生じる隙間より、排尿時や排便時に小水、軟便、便器内の溜まり水が外部に飛散したり、漏れ出すことを防止して、トイレ内を汚染し、漏れ出た排泄物等により床が滑りやすくなり転倒事故の発生原因となることを防止する。【解決手段】便座２と便器１を隙間無く密着させる連続式のクッション３を便器下部に装着させることで、便器外への排泄物等の漏れ出しを防止する。【選択図】図１
0003138695.tif 000002
【実用新案登録請求の範囲】
【請求項１】
従来型の便座は便器本体とおおむね４カ所の合成ゴムのクッションで密着されるため、便座と便器との間に隙間が生じ、排尿の際もしくは排便の際にその隙間から小水、軟便、便器内のたまり水等が便器の外に漏れ、トイレ内を汚染させていた。本考案の便座は、便座下部に連続したクッションを装着させ、排泄物などの外部への漏れ出しを完全に防止するものである。これらの構造を実用新案登録請求の範囲とする。
【考案の詳細な説明】
【技術分野】
【０００１】
本考案は、連続式クッションによる密着方式の漏れ防止便座に関するものである。
【背景技術】
【０００２】
従来の便座はおおむね下部に４個のクッションを装着させ便器と便座の衝突を防ぎ、かつ着座時の衝撃を吸収する構造であった。
この形状では便座下部と便器上部の縁との間に広く隙間が生じ、排尿時や排便時に小水、軟便、便器内の溜まり水（以下、排泄物等）がその隙間より外部に飛散したり、漏れ出す事が生じ、トイレ内の衛生状態を悪化させ、かつ漏れ出た排泄物等により床が滑りやすくなり転倒事故の発生原因となっていた。
【考案の開示】
【考案が解決しようとする課題】
【０００３】
解決しようとする課題は、排尿時、排便時の便器からの排泄物等の漏れ防止とトイレ内衛生管理の向上および転倒事故の防止である。
【課題を解決するための手段】
【０００４】
本考案は、これらの改善策として、便器の下部に隙間のない連続したクッションを装着することで排泄物等の外部への漏れだしを防止する方式を主要な手段とする。
【考案の効果】
【０００５】
本考案の連続式クッションによる密着方式の漏れ防止便座では、排尿時や排便時の排泄物等の外漏れを防止し、トイレ内を清潔に保つ効果があり、また、床が漏れ出た排泄物等による滑り転倒の事故を未然に防止する効果があり、なおかつ便器便座の清掃が容易になる。
【図面の簡単な説明】
【０００６】
【図１】連続式クッションによる密着方式の漏れ防止便座の構造図である。
【図２】連続式クッションによる密着方式の漏れ防止便座の装着図である。
【符号の説明】
【０００７】
１  便器
２  便座
３  連続式密着方式の漏れ防止クッション  
【図１】
0003138695.tif 000003
【図２】
0003138695.tif 000004
【手続補正書】
【提出日】平成19年11月6日(2007.11.6)
【手続補正１】
【補正対象書類名】実用新案登録請求の範囲
【補正対象項目名】全文
【補正方法】変更
【補正の内容】
【実用新案登録請求の範囲】
【請求項１】
便座下部に連続したクッションを装着させ、排泄物などの外部への漏れ出しを完全に防止する構造の便座
(57)【要約】  【課題】      折り戸はその多くが同一幅の戸を複数枚兆番等のヒンジで連結して構成されている。このような折り戸は、幅が同一もしくは同一に近い形状であり、折り畳む際に戸の間で手指を挟んで怪我をしたり、突出した取っ手のために折り畳んだ戸の間に間隔ができて結果的に開放状態にならない等、少スペースのための折り戸機構でありながら充分に機能し得ない部分があった。  【解決手段】    ３枚に折りたたみ可能な折り戸であって、少なくとも中央の１枚が上部において幅方向のほぼ中央部近傍で上部レールに吊止されたものにおいて、該吊止された１枚と両側の各１枚との幅が１：１．４：１〜１：１．９：１の比率に構成する。  【選択図】  図１
0003138668.tif 000002
【実用新案登録請求の範囲】
【請求項１】
３枚に折りたたみ可能な折り戸であって、少なくとも中央の１枚が上部において幅方向のほぼ中央部近傍で上部レールに吊止されたものにおいて、該吊止された１枚と両側の各１枚との幅が１：１．４：１〜１：１．９：１の比率に構成されてなる折り戸。
【考案の詳細な説明】
【技術分野】
【０００１】
本考案は、横方向に連結した戸の上部を吊り下げて、連結部分で屈曲可能に構成した、折り戸の改良に関する。
【背景技術】
【０００２】
折り戸は、一般の開閉式ドアと比較して、開いたときのドアの旋回範囲が小さく、かつ、開ききったときのドアの出代が小さい、等の利点があり、各種用途での利用が急増している。折り戸は、一般的な２枚折りの場合、近接する端部とではなく外側の端部をレールに支持して折りたたんだとき、レールに支持される部分で方持ち支持の状態になって、折り戸とレールの両方に大きな負荷がかかる。折りたたんで開いた状態でレールの直角方向の片側に戸が突出するので突出量が大きい。
このような、折り戸特有の問題点を解消せんと、本願出願人は、その吊り機構や、折り部のスムーズな動きに関し、各種改良を重ねてきた。
【特許文献１】特開２００５−３５０９６７号公報
【特許文献２】特開２００４−１０８１１３号公報
【特許文献３】特開２００４−２０４５５７号公報
【考案の開示】
【考案が解決しようとする課題】
【０００３】
折り戸はその多くが同一幅の戸を複数枚兆番等のヒンジで連結して構成されている。このような折り戸は、幅が同一もしくは同一に近い形状であり、折り畳む際に戸の間で手指を挟んで怪我をしたり、突出した取っ手のために折り畳んだ戸の間に間隔ができて結果的に開放状態にならない等、少スペースのための折り戸機構でありながら充分に機能し得ない部分があった。
【課題を解決するための手段】
【０００４】
そこで本考案では、３枚に折りたたみ可能な折り戸であって、少なくとも中央の１枚が上部において幅方向のほぼ中央部近傍で上部レールに吊止されたものにおいて、該吊止された１枚と両側の各１枚との幅が１：１．４：１〜１：１．９：１の比率に構成するものである。
【考案の効果】
【０００５】
このように構成することにより、折り戸のどの部分を駆動の基点にしても、動きがスムーズになり、また、中央吊りの部分に取っ手を設置した場合に、他の部分が取っ手に当たったり、他の部分で手を挟んだりすることがなく、安全に使用可能になったものである。
【実施例】
【０００６】
図は本願考案の一実施例を示す概観図である。中央の戸１は、その幅方向の中央部付近で上部レール１０に吊止され、両側端部はそれぞれヒンジ機構４，５で戸２および戸３に屈折可能に連結されている。６は戸１に突設された取っ手である。この取っ手６を引けば、ヒンジ機構４は奥側に移動すると共にヒンジ機構５は手前側に移動する。その結果３枚の戸１，２，３は図２の平面図に示す状態に折りたたまれることになる。このとき、戸１に突設した取っ手６は他の戸２に当接することなく戸１と戸２との密着を阻害することが無い。すなわち、戸１の幅Ｌに対して戸２および戸３の幅ｌの比を１：１．４：１乃至１：１．９：１の範囲に設定することによって良好に機能し得るものである。
【産業上の利用可能性】
【０００７】
本考案の折り戸は、特定の用途に限定されるものではなく、通常のドアの開閉に伴うデッドスペースを解消するもので、近年多用されているユニバーサルデザインあるいはバリアフリー構造に特に有効である。また、一般的な用途においてもドアの開閉に伴うデッドスペースの解消と開放したドアへの衝突等を回避し得るものである。
【図面の簡単な説明】
【０００８】
【図１】概略の概観図
【図２】戸を折りたたんだ状態の平面図
【符号の説明】
【０００９】
Ｌ：中央の戸の幅
ｌ：戸１の両側に配置される戸の幅
１：中央の戸
２：戸の片方に配置される戸
３：戸の別の片方に配置される戸
４，５：ヒンジ機構
６：取っ手
１０：上部レール
【図１】
0003138668.tif 000003
【図２】
0003138668.tif 000004
(57)【要約】【課題】白色透光のクリスマスツリーの提供。【解決手段】本考案のクリスマスツリーは、白色透光のプラスチック材から、主体と複数の葉状物を成型する。主体の下端は底座を有し、主体上方は複数の延伸した枝骨を有し、枝骨の端は光源を設置し、光源と電源は電気的に接続する。葉状物は枝骨と連接し、光源をスリーブ内に容納する。光源が通電して発光する時、白色のプラスチックの透光特性により、葉状物が発光体を形成し、全体が発光するクリスマスツリーが構成される。【選択図】図２
0003138663.tif 000002
【実用新案登録請求の範囲】
【請求項１】
白色透光のクリスマスツリー構造であって、
下端に底座を有し、上方に複数の延伸した枝骨を有し、前記枝骨と共に白色透光プラスチック材で製作される主体と、
前記枝骨の端に設置され、電源と電気的に接続する複数の光源と、
前記枝骨の端に連接され、スリーブを有し、前記光源を前記スリーブ内に容納する複数の葉状物と、
からなることを特徴とする白色透光のクリスマスツリー構造。
【請求項２】
前記枝骨の端に近い外径はその円周を囲囲繞する凸縁を形成し、前記凸縁から前記枝骨の端の外径は前記葉状物のスリーブ内径と緊密に結合することを特徴とする請求項１に記載の白色透光のクリスマスツリー構造。
【請求項３】
前記枝骨の端はランプ座を有し、前記ランプ座の底部は導電片を有し、前記導電片は電源に連接され、前記ランプ座は前記光源を設置すると共に、前記光源と前記導電片は電気的に接触することを特徴とする請求項１に記載の白色透光のクリスマスツリー構造。
【考案の詳細な説明】
【技術分野】
【０００１】
本考案は光源を有するクリスマスツリーに関するものであって、特に、複数の小さい素子を組み合わせてなるクリスマスツリーに関する。
【背景技術】
【０００２】
一般のクリスマスツリーは、天然であれ人工であれ、光源を有さないので、装飾効果を得るために、外設方式でランプやオーナメント等の装飾品をツリー上に飾り付けする。ランプは通電後発光効果を有する。この他、クリスマス終了後、樹とその他用品を収蔵する必要があり、時間を費やす。また、収蔵にも大きい空間を占有する。
【考案の開示】
【考案が解決しようとする課題】
【０００３】
本考案の目的は、公知のクリスマスツリーが光源を有さず、外設方式で光源を上に設置する方法を採用しなければならず、不使用時の、これらの光源と装飾物を収蔵する際の不便と不経済性改善することにある。
【課題を解決するための手段】
【０００４】
本考案の主な特徴は、光源を直接人工ツリーに設置し、クリスマスツリーがランプを外設しなくても、発光効果を生成することができる。
【０００５】
本考案のもう一つの特徴は、白色のプラスチック材料によりクリスマスツリーを製作し、ツリー内部から発光し、光線は白色プラスチックから伝導し、クリスマスツリー全体が発光体となり、美しい視覚効果を生成することができる。
【０００６】
本考案の更なる特徴は、組み合わせ方式により構成される人工ツリーを提供し、ツリー不使用時、分解して小さい体積にして、収蔵しやすく、使用したい時は、ツリーに組み立てることができ、同時に、光源もツリー中に包含させる。
【考案の効果】
【０００７】
本考案のクリスマスツリーは、光源を直接人工ツリーに設置し、クリスマスツリーがランプを外設しなくても、発光効果を生成することができる。
【考案を実施するための最良の形態】
【０００８】
図１は、本考案のクリスマスツリーの実施例図であり、主体１からなり、主体１の下端に地面上で支承する底座を有する。主体１は複数の葉状物３１を設置し、葉状物３１によりクリスマスツリーを構成する。
【０００９】
図２は、本考案の主体１の好ましい実施例図で、白色透光のプラスチック材料からなり、複数の長さが不等な枝骨１１を一体成型する。各枝骨１１の端は光源２を設置する。光源２はLEDでも、一般のランプでもよく、使用者の需要により光源が発する色を選択できる。各枝骨１１は葉状物３１を連接し、葉状物３１はスリーブ３を設置し、スリーブ３により枝骨１１と組み合わせ、葉状物３１とスリーブ３は白色透光プラスチック材で一体成型してなる。
【００１０】
図３で示されるように、枝骨１１と葉状物３１の組み合わせ構造は、枝骨１１の端に近い外径がその円周を囲繞する凸縁１１１を形成し、枝骨１１の端は更に軸向きに窪んだランプ座を有し、ランプ座の底部は導電片１１２を設置し、導電片１１２は導線１１３により電源に連接する。ランプ座は直接接合する方式により光源２を設置し、光源２底部の導電部と導電片１１２は電気的に接続する。葉状物３１は、スリーブ３と一体成型され、スリーブ３は内空間３２を有する。枝骨１１は凸縁１１１から枝骨１１の端の外径とスリーブ３の内径が緊密に結合し、光源２をスリーブ３の内空間３２に容納する。組み合わせ後の構造は図４で示される。
【００１１】
前述のような構造により、光源２は電流により発光する時、光線が直接、スリーブ３を穿過して、葉状物３１に照射し、クリスマスツリーが輝く視覚効果を得る。公知のクリスマスツリーのようにランプやオーナメントを外設する必要がなく、もちろん、オーナメントにより装飾効果を増加してもよい。不使用時は、スリーブ３を枝骨１１から抜き、光源２を枝骨１１のランプから取り外せば、体積が減少し、収蔵に便利で、次に、組み立てて再使用できる。
【図面の簡単な説明】
【００１２】
【図１】本考案のクリスマスツリーの組み合わせ後の全体状態図である。
【図２】本考案のクリスマスツリーの主体形態、及び、葉状物との組み合わせ関係図である。
【図３】本考案の枝骨と葉状物の組み合わせ構造図である。
【図４】図３の素子組み合わせ後の構造図である。
【符号の説明】
【００１３】
１        主体
１１      枝骨
１１１    凸縁
１１２    導電片
１１３    導線
２        光源
３        スリーブ
３１      葉状物
３２      内空間
【図１】
0003138663.tif 000003
【図２】
0003138663.tif 000004
【図３】
0003138663.tif 000005
【図４】
0003138663.tif 000006
(57)【要約】【課題】  ポリエチレンや塩化ビニール製の大型植木鉢に植栽した場合の、鉢上部より３分の１以下の根腐れ防止をする。【解決手段】  本考案は、植木鉢側面の真中に側面の高さの３分の１の直径の通気孔を４箇所設け、培養土が外気に触れる面を取る事と灌水の余分な水を流出させる程度の網目を張り、本体と一体形成することにより、鉢内部の過湿と温度上昇を防ぎ根腐れ防止をする。【選択図】図１
0003138636.tif 000002
【実用新案登録請求の範囲】
【請求項１】
植木鉢本体側面に通気孔を配置する。
その通気孔は、本体と一体形成された植物の根の伸長をはかるに灌水時の水の流出の妨げにならない程度の網目張りとし、新鮮な外気を供給できる構造を特徴とする植木鉢。
【考案の詳細な説明】
【技術分野】
【０００１】  本考案は、側面に通気孔を設けた、植木鉢に関するのもである。
【背景技術】
【０００２】  ポリエチレンや塩化ビニール製の大型植木鉢に植栽したところ数年も持たず、鉢上部より３分の１以下は、根の伸長がなく根腐れしていた。
【考案の開示】
【考案解決しようとする課題】
【０００３】  根腐れは、植栽した植物の成長の大きな妨げとなり、枯れる。また根腐れした部分を覆っている土は、酸素の供給がなく再生不能となり廃棄処分するしかない。
従って、側面に通気孔を設け、鉢内部の過湿と温度上昇を防ぎ、新鮮な空気と灌水した余分な水を排出させることにより、植物の根の伸長を助け、前途の欠点を解決しようとするものである。
【課題を解決するための手段】
【０００４】  本考案は、植木鉢側面の真中に側面の高さの３分の１の直径の通気孔を４箇所設け、培養土が外気に露出する面を多くし、併せて灌水の流出を助ける網でメッシュを張り、本体と一体形成することにより問題点を解決している。
【考案の効果】
【０００５】  上述の様に、本考案の植木鉢は、側面に通気孔を設け、新鮮な空気を植物の根により多く供給することにより大型植木鉢での植物の栽培上、過湿と温度の上昇を防ぎ、根腐れ防止として役立つ。
【考案の実施するための最良の形態】
【０００６】  鉢に栽培土を入れ植栽する。
【実施例】
【０００７】  以下、添付図面に従って一実施例を説明する。
１のポリエチレンや塩化ビニール製の本体植木鉢に、栽培土を入れ、２のメッシュ状の通気孔より、空気を取り入れる。
【図面の簡単な説明】
【０００８】
【図１】本考案の植木鉢の正面図である。
【符号の説明】
【０００９】  １  植木鉢本体
２  メッシュ状の通気孔
【図１】
0003138636.tif 000003
(57)【要約】      （修正有）【課題】手軽に使えて、足が直接底面に触れずにサンダルやスリッパを使用できる中敷の提供。【解決手段】スリッパに中敷を差し込み使用します。中敷の形状を通常の中敷きよりも前方の前あてに入れる部分の幅を広くします。Ｕ字形にして中敷を差し込み、足を入れると前あて部に貼り付きズレを抑えます。中敷の携帯について、折畳む事によって携帯し易くします。【選択図】図１
0003138634.tif 000002
【実用新案登録請求の範囲】
【請求項１】
不特定多数の人が使用するサンダルやスリッパを使うことを嫌う人の為の紙製の中敷です。
奉書用紙や藁半紙、コットン紙等柔らかい素材を使用し、サンダルやスリッパのクッションと馴染み易く、中での抑え、使用し易くします。
また、中敷幅をサンダルやスリッパの底面幅より大きくして、足を入れると前あて部に中敷が馴染み貼り付くことで動きが抑えられ、より使用し易くします。
【請求項２】
請求項１の中敷に折線を入れ、折畳んで携帯し易くします。
【考案の詳細な説明】
【技術分野】
【０００１】本考案は、サンダル、スリッパ等の中敷に関するものです。
【背景技術】
【０００２】公共の場所等で他人が使用したサンダルやスリッパに足を入れる事に躊躇いながらも、我慢して使用しています。
【考案の開示】
【考案が解決しようとする課題】
【０００３】足の裏は臭いや雑菌をイメージします。他人が使用したサンダルやスリッパにもそれをイメージします。直接足を入れる事が躊躇される場合は靴下を履き替えるかティッシュペーパー等で拭き取るしかありませんでした。
そこでこの考案は手軽に使えて、足が直接底面に触れずにサンダルやスリッパを使用できるようにすることを課題とします。
【課題を解決するための手段】
【０００４】第１の考案は、柔らかく、吸水性が良く、表面が適度のザラついている奉書、藁半紙、コットン紙等の用紙を使用した中敷を作成します。サンダルやスリッパのクッションと馴染み易くズレがおきにくくなります。また、中敷の形状を前あてのある前方部分の幅を底面の幅より広くし、Ｕ字形にして中敷をセットします。足を中に入れると中敷が前あてに触れてズレを抑え安定感よく使用できる事を特徴とした中敷になります。
第２の考案で、第１の考案の中敷を折畳み、コンパクトにして持ち運びに便利にします。
【考案の効果】
【０００５】いつでも、何処でも、簡単に持ち歩け、簡単に使用出来、他人の使用した事のイメージを払拭出来ます。
【考案を実施するための最良の形態】
【０００６】この考案の実施形態を図１に示す。
スリッパに考案の中敷を差し込み使用します。中敷の形状を図２に示す様に通常の中敷よりも前方の前あてに入れる部分の幅を広くします。図１に示す様にＵ字形にして中敷を差し込み、足を入れると図４の様に前あて部に貼り付きズレを抑えます。
中敷の携帯について、中敷を図５、図６に示す様に折畳む事によって携帯し易くします。
【図面の簡単な説明】
【０００７】
【図１】考案の中敷を使用する図
【図２】考案の中敷図
【図３】スリッパの上視図
【図４】中敷を使用したスリッパの後方図
【図５】中敷の折り方（３つ折）
【図６】中敷の折り方（４つ折）
【符号の説明】
【０００８】Ａ−前あて
Ｂ−底面
Ｃ−クッション
Ｄ−中敷の幅
Ｅ−スリッパ底面の幅
【図１】
0003138634.tif 000003
【図２】
0003138634.tif 000004
【図３】
0003138634.tif 000005
【図４】
0003138634.tif 000006
【図５】
0003138634.tif 000007
【図６】
0003138634.tif 000008
(57)【要約】【課題】ピックの保管が確実にでき、演奏中にピックが破損した時には予備のピックをすぐに取り出せ、ギターの新しい飾りにもなる、ギターヘッドに装着できるピックケースを提供する。【解決手段】ピックを収納できる大きさを持つ布状の素材を袋状にし、ゴムひもやひもやバンドを付け、ギターヘッドに装着できることを、特徴とする。【選択図】図１
0003138637.tif 000002
【実用新案登録請求の範囲】
【請求項１】
ピックを収納できる容器や袋状の入れ物に、ゴムひもやひもやベルトを付け、ギターヘッドに装着するピックケース。
【考案の詳細な説明】
【技術分野】
【０００１】  この考案は、ピックを収納したケースをギターヘッドにゴムひもなどで固定して、いつもギターに装着することのできるピックケースに関するものである。
【背景技術】
【０００２】  従来、ピックを持ち運ぶ時は、１枚ずつばらばらで保管したり、ギターから独立した金属製やプラスチック製や帆布製や皮製のピックケースに入れたり、ギターに張ってある弦にピックを１枚、弦に交互に差し込んではさみ付けたりしていた。
【考案の開示】
【考案が解決しようとする課題】
【０００３】  ギターを演奏する時に、まず張ってある弦に差し込んである１枚のピックを抜き取り、後は１枚ずつ保管しているピックを探したり、ピックをまとめて入れたピックケースを探したり、ピックケースをストラップでズボンのバンドにとめたりと大変である。そこでピックを収納したピックケースをギターヘッドに装着できるようにし、いつも視界の中にピックケースがあるようにする。
【課題を解決するための手段】
【０００４】  ピックを収納したケースをギターヘッドにゴムひもなどで固定して、いつもギターに装着できるようにする。
【考案の効果】
【０００５】  ピックをいつもギターヘッドのピックケースに収納できるので、ピックを探しまわったりせず便利である。また、演奏中にピックが破損しても、すぐにギターヘッドのピックケースから予備のピックを取り出せるので、安心である。
ピックケースのデザインによっては、ギターの新しい飾りともなり、楽しさが増す。おしゃれなギターが増えるだろう。
【考案を実施するための最良の形態】
【０００６】  ピックより少し大きいハート型の２枚のフェルトを重ね合わせ、その中に２本の太めのゴムひもをはさみ込んで縫い付ける。前記２本の太めのゴムひもの端を縫い、輪にする。このゴムひもの輪をギターヘッドに掛けて、ギターヘッド正面に固定する。
そして、袋状になっているハート型のフェルト部分にピックを２枚差し込んで収納する。縫い付けられたゴムひものゴムがギターヘッド部で伸ばされ、収納されたピックを締め付けるので、袋状のケースからピックが抜け出ることは、殆どない。【０００７】  なお、図３に示すように、金属製やプラスチック製や帆布製や皮製のピックケースにゴムひもなどを付けたものを、ギターヘッドに固定してもよい。
また、ギターヘッドのメーカー名が隠れて困るという場合は、ピックケース部分がギターヘッドの裏側にくるように固定し、ゴムひもの一部に透明の素材を使い、メーカー名が透けて見えるようにするとよい。
さらに、ギターヘッドの表と裏の両方にピックケースを付けて、４枚のピックを収納するものも考えられる。
【図面の簡単な説明】
【０００８】
【図１】  本考案の使用時の斜視図である。
【図２】  本考案の斜視図である。
【図３】  本考案の別の実施例の斜視図である。
【符号の説明】
【０００９】  １  ピック
２  フェルト
３  ゴムひも
４  ギターヘッド
５  縫い目
６  金属製やプラスチック製や帆布製や皮製のピックケース
【図１】
0003138637.tif 000003
【図２】
0003138637.tif 000004
【図３】
0003138637.tif 000005
(57)【要約】      （修正有）【課題】現在の新聞の幅を半分に縮小し、見開きもスマートな新聞形状を提供する。【解決手段】テープ形状の紙面に、現在の新聞の１面幅を半分にしたサイズで外折り内折りの連続たたみを施し、上部左右に掛けリングホール４，５を設け、掛けリング６を設けたことを特徴とするスマート見開き新聞。【選択図】図３
0003138631.tif 000002
【実用新案登録請求の範囲】
【請求項１】
テープ形状の紙面に、現在の新聞の１面幅を半分にしたサイズで外折り内折りの連続たたみを施し、上部左右に掛けリングホールを設け、掛けリングを設けたことを特徴とするスマート見開き新聞。
【考案の詳細な説明】
【技術分野】
【０００１】  本考案は、テープ形状の紙面を折りたたみ、掛けリングを設けたスマート見開き新聞に関するものである。
【背景技術】
【０００２】  従来、一般では見開き紙面を何枚も重ね中央で内折りを施したものであった。
【考案の開示】
【考案が解決しようとする課題】
【０００３】  そのために、次のような問題点があった。
（イ）家庭では、テーブル等に開きばらしながら見ることができ楽に見ることができるが、勤める人にとって朝は忙しく、外出の時持って出ることも多く車内や仕事場の休憩時に見ることになる。すると、狭い車内や職場で見開きにして見ると腕を広げ側の人に気兼ねをすることになり、狭めると文字が遠くなり、幅を狭めようと１面を後ろに折り曲げようとすると中央内折り線に逆行し、がさがさふわふわと難しいものである。
（ロ）大きな紙面はずれないようにしっかり指で支えながら、重なっているめくり部分をはがしながら見ることも難がある。
本考案は、これらの問題点を解決するためになされたものである。
【問題を解決するための手段】
【０００４】  テープ形状の紙面に、現在の新聞の１面幅を半分にしたサイズで外折り内折りの連続たたみ折りを施し、上部左右に掛けリングホールを設け、掛けリングを設ける。以上を特徴とするスマート見開き新聞である。
【考案の効果】
【０００５】  紙面ずれもなくページめくり部も一枚仕様でなく外折り輪となるために、指腕も楽になり、見開き幅も現在の半分になり、側の人に気兼ねなく広げることができる。
【考案を実施するための最良の形態】
【０００６】  以下、考案の実施の形態について説明する。
［図１］のテープ形状紙面（１）は外折り（２）内おり（３）を繰り返しを行う図。［図２］はたたんだ正面表図で上左右に掛けリングホール（４）と（５）を設け、掛けリング（６）を設ける。
【実施例１】
【０００７】  表正面図の掛けリングホール（４）に掛けリング（６）を掛け、表面が読み終わりになったら掛けリング（６）をはずし掛けリングホール（５）に移し裏面を見る。
【産業上の利用可能性】
【０００８】  掛けリング（６）はプラスチック等の極軽いもので、もし紛失の場合はプラスチックのシートなどを切り抜いて作れる簡単なものであり、ポケットに常時入れておけるものである。
現在の情報量と変わらず掲載できる対応でもである。
【図面の簡単な説明】
【０００９】
【図１】本考案のテープ形状紙たたみ方
【図２】本考案のたたみ正面図
【図３】本考案の掛けリングセット図
【符号の説明】
【００１０】    １  テープ形状紙
２  外折り
３  内折り
４  掛けリングホール
５  掛けリングホール
６  掛けリング
７  めくり部
【図１】
0003138631.tif 000003
【図２】
0003138631.tif 000004
【図３】
0003138631.tif 000005
(57)【要約】【課題】  イヤホンコードの長さ調整及び収納の解決と、画面表示の縦横切り替えに対して対応する携帯型音楽画像再生装置用立て掛けスタンドの供給を課題とする。【解決手段】  携帯型音楽画像再生装置の外周部に沿ってイヤホンコードを巻き付け、コードを保持溝に挟みコード押さえ部カバー兼スタンド脚部を閉じることで確実に保持する。該スタンド脚部を開くことにより該再生装置の立て掛けスタンドとして機能する。さらにスタンド脚部を回転させることで縦横位置での立て掛けという課題を解決する。【選択図】図５
0003138638.tif 000002
【実用新案登録請求の範囲】
【請求項１】
イヤホンコードを保持する溝を備えたことを特徴とする回転式コード保持溝付携帯型音楽画像再生装置用スタンド
【請求項２】
請求項１に於いて、保持溝を有するスタンド脚によりコードを保持することを特徴とする回転式コード保持溝付携帯型音楽画像再生装置用スタンド
【請求項３】
請求項１に於いて、コードは保持溝で押さえ、回転するスタンド脚を別途設けたことを特徴とする回転式コード保持溝付携帯型音楽画像再生装置用スタンド
【考案の詳細な説明】
【技術分野】
【０００１】  本考案は、携帯型音楽画像再生装置のイヤホンコードの収納と該装置の立て掛けに関する物である。
【背景技術】
【０００２】  従来の技術思想では、携帯型音楽画像再生装置のイヤホンコードの収納と立て掛けスタンドを兼ねる形態のスタンドが存在した。該再生装置の表示画面の大型化に伴い画面表示が縦横切り替え可能になると、従来のスタンドでは対応出来なくなっていた。
【考案の開示】
【考案が解決しようとする課題】
【０００３】  本考案はイヤホンコードの長さ調整及び収納の解決と、画面表示の縦横切り替えに対して対応する携帯型音楽画像再生装置用立て掛けスタンドの供給を課題とする。
【課題を解決するための手段】
【０００４】  本考案は携帯型音楽画像再生装置本体の外周部に沿ってコードを巻き付け任意の位置でコードを挟み込む事により、コードの長さを調整し収納するという課題を解決し、該再生装置本体に対してスタンド脚を縦横に回転させることで画面の表示に合わせて設置面で該装置本体を立て掛けるという課題を解決する。
【考案の効果】
【０００５】  上記のように本考案の回転式コード保持溝付きスタンドを使用することで、イヤホンコードの長さを容易に調整することが出来る。またケース外周部にコードを収納出来るため複雑な機構の巻き取り装置を用いることなく軽量化が可能であり、使用者は好みのイヤホンのコード長さを自在に調節して使用することが出来る。また設置面に携帯型音楽画像再生装置を立て掛けて使用する場合、画面表示に合わせてスタンド脚を回転させることで、縦横それぞれの画面表示位置でコンテンツを視聴することが出来る。
【考案を実施するための最良の形態】
【０００６】  携帯型音楽画像再生装置の裏面に回転ベースを貼着、嵌合などで装着する。回転ベースに回転軸を介してコード押さえ部を装着し、該コード押さえ部のヒンジ部を介してコード押さえ部カバー兼スタンド脚部を配置する。イヤホンコードを該装置本体に巻き付け収納するとき、イヤホンコードはコード押さえ部に設けた溝に挟み込み係止する。ヒンジ部を介してコード押さえ部カバー兼スタンド脚部を閉じることによりイヤホンコードは該カバーにより確実に保持固定される。使用者が机上など設置面で該装置を立て掛けて使用するときはコード押さえ部カバー兼スタンド脚部を開き、立て掛けて使用する。該再生装置の画面表示を縦横切り替える場合、回転軸に対しコード押さえ部カバー兼スタンド脚部を回転させることで画面表示に対応した位置でスタンドとして本体を立て掛け使用することが出来る。
【実施例】
【０００７】  以下、添付図面に基づいて実施例を説明する。
図１は本考案の回転式コード保持溝付きスタンドの側面図である。回転ベース３に対し回転軸３ｂを介してコード押さえ部１は回動自在に係着される。コード押さえ部カバー兼スタンド脚２は支点１ａ２ａを軸として開閉可能に挿着される。１ｂ２ｂは係合凹凸部であり、１ｃはコード保持溝、１ｄはコード保持用凸部、２ｃはコード押さえ部である。【０００８】  図２は携帯型音楽画像再生装置４の背面に本考案の回転式コード保持溝付きスタンドを両面テープ３ａで貼着し、コード押さえ部の保持溝１ｃにイヤホンコード５を保持した状態の実施例の側面図である。【０００９】  図３はコード押さえ部カバー兼スタンド脚２でイヤホンコード６を固定した状態の実施例の側面図である。係合凹凸部１ｂ２ｂによりコード押さえ部１とコード押さえ部カバー兼スタンド脚２は咬合しイヤホンコード６は保持固定される。【００１０】  図４はコード押さえ部カバー兼スタンド脚２を開きスタンドとして机上７に該装置本体を立て掛けて使用した状態の実施例である。【００１１】  図５は該装置本体４の画面表示を横に切り替えた場合に、コード押さえ部１を９０度回転させ該装置本体４を横位置で机上７に立て掛けて使用した状態の実施例である。【００１２】  図６は携帯型音楽画像再生装置４に本考案の回転式コード保持溝付きスタンドを装着し、イヤホンコード５を巻き付け保持した状態の実施例の俯瞰図である。【００１３】  図７は携帯型音楽画像再生装置４を包み込むケース８に設けた回転軸３ｂに本考案のコード巻き付け式スタンドを装着した状態の実施例の俯瞰図である。
【図面の簡単な説明】
【００１４】
【図１】回転式コード保持溝付きスタンドの側面図である。
【図２】コードを巻き付け保持した状態の側面図である。
【図３】コードを巻き付け保持固定した状態の側面図である。
【図４】立て掛けて使用した状態の側面図である。
【図５】横向きに立て掛けて使用した状態の側面図である。
【図６】コードを巻き付け保持した状態の俯瞰図である。
【図７】ケース一体の回転式コード保持溝付きスタンドの俯瞰図である。
【符号の説明】
【００１５】１コード押さえ部
１ｃコード保持溝
２コード押さえ部カバー兼スタンド脚
３回転ベース
４携帯型音楽画像再生装置本体
５イヤホンコード
６イヤホン
８包み込むケース
【図１】
0003138638.tif 000003
【図２】
0003138638.tif 000004
【図３】
0003138638.tif 000005
【図４】
0003138638.tif 000006
【図５】
0003138638.tif 000007
【図６】
0003138638.tif 000008
【図７】
0003138638.tif 000009
(57)【要約】【課題】作業用ヘルメットの着用に伴う不快感を軽減しうる作業用へルメットのインナーベルトの提供を目的とする。【解決手段】ヘルメットのメインベルト１の位置を額より上の前頭部から両側頭部を通り後頭部の下部にいたる位置とし、補助ベルト２が側頭部（耳の真上）から後頭部の上部を通り他方の側頭部（もう一方の耳の真上）にいたる位置に配されて成る形状を特徴とするヘルメットのインナーベルトが、額への密着物が無いことにより、不快感を軽減する。【選択図】図１
0003138650.tif 000002
【実用新案登録請求の範囲】
【請求項１】
作業用ヘルメットのメインベルト（１）の位置を額より上の前頭部から両側頭部を通り後頭部の下部にいたる位置とし、補助ベルト（２）が側頭部（耳の真上）から後頭部の上部を通り他方の側頭部（もう一方の耳の真上）にいたる位置に配されて成る形状を特徴とする作業用ヘルメットのインナーベルト。
【請求項２】
ベルトの長さ調節機構（１ａ）と（２ａ）を備えたことを特徴とする請求項１に記載の作業用ヘルメットのインナーベルト。
【考案の詳細な説明】
【技術分野】
【０００１】  本考案は建設現場内や工場内等で、着用が義務付けられている作業用ヘルメットの内側に設けられた頭部安定保持部材（以後作業用ヘルメットのインナーベルトという。）の形状に関するものである。
【背景技術】
【０００２】  従来の作業用ヘルメットのインナーベルト１ｂは、額から両側頭部を通り後頭部または後頭部の下部に至る位置に配されているのが一般的である。【０００３】  その多くには、額から側頭部にかけて吸水性に優れた汗取りパッド６が備えられているが、数時間連続で作業用ヘルメットを着用していると、着用者の多くが汗取りパッドの密着している額のあたりに不快感を感じるようになる。【０００４】  不快感を感じたときに、新しい汗取りパッドに交換する等の手段もあるが、ほとんどの場合時間と手間の掛からない簡易的な方法で不快感を軽減しようとするが、十分に満足する結果を得られないのが現状である。
【考案の開示】
【考案が解決しようとする課題】
【０００５】  作業用ヘルメットの着用に伴う不快感を軽減しうる作業用ヘルメットのインナーベルトの提供を目的とする。
【課題を解決するための手段】
【０００６】  作業用ヘルメットのメインベルト１の位置を額より上の前頭部から両側頭部を通り後頭部の下部にいたる位置とし、補助ベルト２が側頭部（耳の真上）から後頭部の上部を通り他方の側頭部（もう一方の耳の真上）にいたる位置に配されて成る形状を特徴とする作業用ヘルメットのインナーベルトが、額への密着物が無いことにより、不快感を軽減する。
【考案の効果】
【０００７】  上述の様に、本考案の作業用ヘルメットのインナーベルトは額への密着物が無いことにより、数時間連続で作業用ヘルメットを着用しても従来のような不快感が軽減されると共に、下を向きながらの作業時に、従来よりも作業用ヘルメットが前にずれにくいという利点もある。
【考案を実施するための最良の形態】
【０００８】  作業用ヘルメットのメインベルト１と補助ベルト２にそれぞれ長さ調節機構１ａと２ａを設け作業用ヘルメットを着用する人の頭のサイズに合わせられるようにし、作業用ヘルメットを着用した時にその重量の約半分強をハンモック３にて支えるようにする。
【実施例】
【０００９】  以下、添付図面に従って一実施例を説明する。１は額より上の前頭部から両側頭部を通り後頭部の下部にいたる位置に配された作業用ヘルメットのメインベルト、２は側頭部（耳の真上）から後頭部の上部を通り他方の側頭部（もう一方の耳の真上）に配された補助ベルトで、１ａと２ａはメインベルト１と補助ベルト２のそれぞれに設けられた長さ調節機構である。【００１０】  長さ調節機構１ａと２ａで頭のサイズに合わせてから作業用ヘルメットを着用する。その時、作業用ヘルメットの重量の約半分強をハンモック３にて支えるのが理想的な形態である。
【図面の簡単な説明】
【００１１】
【図１】本考案の作業用ヘルメットのインナーベルトの実施例を示す一部切欠側面図である。
【図２】従来の作業用ヘルメットのインナーベルトを示す一部切欠側面図である。
【符号の説明】
【００１２】  １，１ｂ          作業用ヘルメットのメインベルト
１ａ，１ｃ，２ａ  ベルトの長さ調節機構
２                補助ベルト
３                ハンモック
４                ヘルメット本体
５                衝撃緩衝材
６                汗取りパッド
７                あご紐
【図１】
0003138650.tif 000003
【図２】
0003138650.tif 000004
(57)【要約】【課題】        本考案はマグネットの作用を利用した開閉フタを持つキャリングケースにおいてキャリングケース本体内側特定部にマグネットを防磁する銅板などを皮革等敵宣素材に接着や縫製し、保持固定させマグネットによる携帯電話機の誤動作を防止するキャリングケースを提供する事。【解決手段】    本考案はマグネット磁力での作用を利用したフタを持つキャリングケースにおいて、キャリングケース本体１の特定部に皮革等敵宣素材の生地と生地の間にフタの開閉を作用させるマグネットと、マグネットよりも携帯電話機本体側となる生地と生地の間に、磁力を防磁するマグネットよりも一回り大きい銅板をそれぞれ接着や縫製加工で、保持固定しキャリングケースとして成型加工することで、ワンセグ付携帯電話機や誤動作発生機種において誤動作を防止しできる。【選択図】図２
0003138649.tif 000002
【実用新案登録請求の範囲】
【請求項１】
携帯電話や携帯用電子機器を保護携帯するキャリングケース。
そのキャリングケースの中でマグネットでの作用を利用した開閉フタを持つキャリングケースにおいて、フタ開閉用マグネットよりも携帯電話機を挿入する側に磁力を防磁する為の、マグネットよりも一回り大きい銅板等を接着や縫製加工で保持固定させキャリングケースとして成型しマグネットによる携帯電話機などの電子機器の誤動作を防止するキャリングケース。
【考案の詳細な説明】
【技術分野】
【０００１】  本考案はキャリングケース、特に携帯電話機などの携帯用電子機器に関する。
【背景技術】
【０００２】  近年の携帯電話の進化は著しく、最近ではワンセグと称されるテレビ放送が携帯電話でも視聴できるようになってきている。そんな中現在市場で販売されているキャリングケースの多くに見られる商品が、ケースのフタとなる部分にマグネットを採用してスマートにケースの開閉が出来る物であるが、このマグネットによりワンセグ付きの携帯電話やおサイフケータイと言われる付加価値の付いた携帯電話機などで誤動作が多く発生しており、この対策を施したキャリングケースはなかった。
【考案の開示】
【考案が解決しようとする課題】
【０００３】  近年の携帯電話の進化に伴い携帯電話機に付加価値として様々な機能が盛り込まれ、特に最近ではワンセグと称されるテレビ放送が携帯電話でも気軽に視聴できるようになってきている。またその一方で従来販売されている携帯電話用キャリングケースにおいてはマグネットボタンなどを採用したフタの開閉のスマートな商品が多く販売されている。しかしそのマグネットがワンセグ付きの携帯電話機などの一部機種などにおいて誤動作を発生させ、時には故障に至る場合もある為、その誤動作防止策や安心して携帯電話を持ち運ぶ手段としての利便性を考えるものである。
【課題を解決するための手段】
【０００４】  本考案は、上述の課題を解決する為に、携帯電話機などの電子機器を保護携帯するキャリングケースにおいて、ケースの内側特定部にマグネットの磁力を防磁する為の銅板などを皮革等の敵宣素材に接着や縫製などをして保持固定させることにより、マグネットでの携帯電話機等の誤動作を防止することができ、問題点を解決できる。
【考案実施の形態】
【０００５】  携帯電話用キャリングケースの内側特定部にマグネットとマグネットの磁力を防磁する為のマグネットよりも一回り大き目の銅板を皮革等の敵宣素材に接着してキャリングケースに縫いつけ、あるいはキャリングケースの生地の製造段階において皮革等の生地と生地の間にあらかじめ入れ込み１枚の銅板入りの生地素材としてから縫製加工しキャリングケースとして成型加工すれば、自由なデザインが可能となり、外観上もスマートなキャリングケースとなる。
【実施例】
【０００６】  以下、添付図面に従って一実施例を説明する。１は耐久性の皮革等適宣素材にて成型されたキャリングケース本体、２は皮革等の敵宣素材、３はマグネット。
４はマグネットの磁力を防磁する銅板。５はマグネットの磁力を作用させる鉄板でありこれによりキャリングケースのフタがしまる。６はズボンのベルトなどにキャリングケースを取り付けるためのクリップである。【０００７】  本考案の一実施例は上術の如き構成からなるものであるから、携帯電話機本体を入れて持ち運ぶキャリングケースとしては勿論であるが、マグネットの磁力で作用する開閉フタを採用したキャリングケースにおいて携帯電話機の誤動作を防止する。【０００８】  以上、詳細の本考案によるマグネットの磁力を防磁するキャリングケース実施の形態を説明したがここで説明した実施の形態は本考案を説明するものであって、本考案は必ずしもこれに限定されるものではなく、本考案の精神を逸脱することなく当業者が可能な変形または修正は本考案の範疇に含まれる。
【考案の効果】
【０００９】  上述の様に、本考案のマグネット防磁キャリングケースは携帯電話機本体を入れて持ち運ぶ事は勿論、マグネットでの作用を利用した開閉フタを採用したキャリングケースにおいて、ワンセグ付き携帯電話機などの一部誤動作発生携帯電話機種の誤動作を防止し、安心して持ち運び携帯することができる。
【図面の簡単な説明】
【０００９】
【図１】本考案のキャリングケースの正面図である。
【図２】本考案の一部切欠断面図である。
【符号の説明】
【００１０】１  キャリングケース本体
２  皮革等の適宣素材
３  マグネット
４  銅板
５  鉄板
６  クリップ
【図１】
0003138649.tif 000003
【図２】
0003138649.tif 000004
(57)【要約】【課題】  灯篭は石材等で製作されており、重量が重く運搬が容易でないため、重機を使用しなければ移動・設置に負担がかかる不都合の解消等。【解決方法】灯篭を中空ポリエステル素材１で製作し、軽量化を図る。中空の中に水２を注入することにより灯篭自体も安定した形で設置できる。このことにより灯篭そのものの重量が軽くなり移動・設置の負担が軽減され、この課題を解決する。【選択図】図１
0003138646.tif 000002
【実用新案登録請求の範囲】
【請求項１】
ポリエステル素材で製作され、中に水を注入することにより、安定性を保つ中空灯篭。
【考案の詳細な説明】
【技術分野】
【０００１】本考案は、灯篭を製作する素材及び製法に関する。
【背景技術】
【０００２】従来の灯篭はその殆どが石材により加工・製作されていた（図２）。
【考案の開示】
【考案が解決しようとする課題】
【０００３】しかし、これでは、灯篭の重量があり運搬・設置・移動に際し、重機等に頼ることになり、費用や手間がかかる。また、マンション等の集合住宅では、殆ど設置し楽しむことができない。
【課題を解決するための手段】
【０００４】そこで、中空ポリエステル素材で製作し、中に水を注入し安定させる灯篭を考案した（図１）。これにより、灯篭の軽量化ができる。
【考案の効果】
【０００５】よって、本考案の中空灯篭により、灯篭の軽量化が図られ、手軽に運ぶことが可能となり、戸建て住宅でもマンションでも灯篭を楽しむことができるようになる。また、中空の中に水を入れることにより、安定性を保つとともに、中の水は火災時に備えた貯水としても活用できる。
【考案を実施するための最良の形態】
【０００６】本考案に係る中空灯篭は、図１に示すように、灯篭を構成する部品が各々中空ポリエステル等の容器となっており、石材の場合と同様それを重ねることにより灯篭の形状となる。小さなものは一体型も可能である。
【図面の簡単な説明】
【０００７】
【図１】本考案に係る灯篭の断面図である。
【図２】従来の灯篭の断面図である。
【符号の説明】
【０００８】１    ポリエステル
２    水
３    石材
【図１】
0003138646.tif 000003
【図２】
0003138646.tif 000004
(57)【要約】【課題】複写機、プリンター、ファクシミリなどの事務機器、あるいは印刷機などにおいて静電気を除去するために使用される除電ブラシに関し、電気的な導通性能を付与した粘着テープを用いた場合であっても安価かつ安定した接着力を有する除電ブラシを提供することを課題とする。【解決手段】除電ブラシを使用箇所に貼り付ける粘着テープに、電気的な導通性能を付与した粘着テープと電気的な導通性能を付与しない粘着テープを併用する構成とする。【選択図】図１
0003138642.tif 000002
【実用新案登録請求の範囲】
【請求項１】
導電性の繊維あるいは繊維束と、それを保持する基材で構成された除電ブラシにおいて、その除電ブラシを使用箇所に貼り付ける役目を持つ粘着テープに、電気的な導通性能を付与した粘着テープと電気的な導通性能を付与しない粘着テープを併用した構造を特徴とする除電ブラシ。
【考案の詳細な説明】
【技術分野】
【０００１】本考案は、例えば複写機、プリンター、ファクシミリなどの事務機器、あるいは印刷機などにおいて静電気を除去するために使用される除電ブラシに関するものである。
【背景技術】
【０００２】除電ブラシは導電性の繊維あるいは繊維束と、それを保持する基材およびその除電ブラシを使用箇所に貼り付ける役目を持つ粘着テープで構成されている。【０００３】この粘着テープには、一般的に電気的な導通性能を付与しない粘着テープが使用されているが、導電性の繊維あるいは繊維束と貼り付け対象物との間に電気的な導通が必要な場合には、図２に示すように電気的な導通性能を付与した粘着テープを使用する。
【考案の開示】
【考案が解決しようとする課題】
【０００４】電気的な導通性能を付与した粘着テープは、電気的な導通性能を付与しない粘着テープと比較して非常に高価であり、また接着力が低いために貼り付け対象物との接着不良を起こし易いという問題点があった。【０００５】そこで、導電性の繊維あるいは繊維束と貼り付け対象物との間が電気的に導通し、かつ価格の上昇を抑え、また安定した接着力を有する除電ブラシを提供することを課題とする。
【課題を解決するための手段】
【０００６】上記課題を解決するため、除電ブラシを使用箇所に貼り付ける粘着テープに、電気的な導通性能を付与した粘着テープと電気的な導通性能を付与しない粘着テープを併用する構成とする。
【考案の効果】
【０００７】以上説明したように本考案を適用すると、導電性の繊維あるいは繊維束と貼り付け対象物との間が電気的に導通し、かつ価格の上昇を抑え、また安定した接着力を有する除電ブラシを提供することが出来る。
【考案を実施するための最良の形態】
【０００８】除電ブラシを使用箇所に貼り付ける役目を持つ粘着テープの幅に対して、一部に電気的な導通性能を付与した粘着テープを用い、その他の部分に電気的な導通性能を付与しない粘着テープを用いる。
【実施例】
【０００９】図１は本考案の１実施例の図であり、粘着テープの幅のうち３０％に電気的な導通性能を付与した粘着テープを用い、７０％に電気的な導通性能を付与しない粘着テープを用いた。【００１０】前記実施例では、電気的な導通性能を付与した粘着テープを３０％の面積として価格の上昇を抑え、かつ電気的な導通性能を付与しない粘着テープを用いることで安定した接着力を確保した。
【図面の簡単な説明】
【００１１】
【図１】本考案を使用して、電気的な導通性能を付与した粘着テープと電気的な導通性能を付与しない粘着テープを併用した除電ブラシの断面図である。
【図２】本考案を使用せず、電気的な導通性能を付与した粘着テープを用いた除電ブラシの断面図である。
【符号の説明】
【００１２】１  導電性の繊維あるいは繊維束
２  導電性の繊維あるいは繊維束を保持する基材
３  電気的な導通性能を付与した粘着テープ
４  電気的な導通性能を付与しない粘着テープ
【図１】
0003138642.tif 000003
【図２】
0003138642.tif 000004